(57)【要約】【課題】弾球遊技機において、設置枠、本体、およびガラス扉の施錠機構を比較的簡素な構造で実現し、かつ、本体からガラス扉を不正に開放したり、設置枠から本体を不正に開放したりする不正な開錠行為を抑止する。【解決手段】施錠ユニット２２は、前扉１１に固定される取付フレーム３１、取付フレーム３１の内部に組み合わされ、シリンダ錠１３に差し込まれた鍵１４の回転に対応して回転するカム板５１によって上下に移動される鉤連結杆３２、鉤連結杆３２を元の位置に戻すための付勢バネ３３および、付勢バネ３３の復元力を鉤連結杆３２に伝達する可動プレート３４−１，３４−２から構成される。鉤連結杆３２には外枠鉤４１とガラス扉鉤４２が設けられている。すなわち、鉤連結杆３２、外枠鉤４１、およびガラス扉鉤４２が一体成型されている点が特徴である。本発明は、弾球遊技機に適用することができる。【選択図】図５
2008061744.tif 000002
【特許請求の範囲】
【請求項１】
外辺のうちの一辺が設置枠に接続され前記一辺とは異なる他辺が前記設置枠から開閉可能な本体と、外辺のうちの一辺が前記本体に接続され前記一辺とは異なる他辺が前記本体から開閉可能な前記本体を覆う扉とを備える遊技機に用い、前記設置枠に対して前記本体の他辺側を施錠するとともに、前記本体に対して前記扉の他辺側を施錠する遊技機用施錠装置において、
挿入された鍵の回転に対応してカム板を回転させるシリンダ錠と、
前記設置枠に設置された第１の係合受部と、
前記扉に設置された第２の係合受部と、
前記第１の係合受部に係合される第１の鉤、および前記第２の係合受部に係合される第２の鉤が設けられた鉤連結杆を内蔵する施錠部とを備え、
前記鉤連結杆は、対向する長辺の一方に前記第１の鉤、他方に前記第２の鉤が設けられ、開錠時においてのみ、前記カム板の回転に連動し前記施錠部内において往復直線摺動される
遊技機用施錠装置。
【請求項２】
前記鉤連結杆、前記第１の鉤、および前記第２の鉤は、一体成型されている
請求項１に記載の遊技機用施錠装置。
【請求項３】
前記鉤連結杆には、前記カム板の凸部が挿入されるカム孔が設けられており、
前記カム孔は、回転される前記カム板の前記凸部に対して遊び無く形成されている
請求項１に記載の遊技機用施錠装置。
【請求項４】
前記第１の係合受部または前記第２の係合受部のうちの少なくとも一方は、それぞれ対応する前記第１または第２の鉤が係合される可動プレートを内蔵しており、
前記可動プレートは、施錠時に当接する前記第１または第２の鉤からの外力によって摺動されるとともに、バネ付勢力によって初期位置の方向に復帰されることによって係合される
請求項１に記載の遊技機用施錠装置。
【発明の詳細な説明】
【技術分野】
【０００１】
本発明は、遊技機用施錠装置に関し、特に、例えばいわゆるパチンコ台などのように、対向する２辺のうち、一方が設置枠に蝶番などにより接続され、他方が開閉可能であって通常は施錠されている本体と、対向する２辺のうち、一方が本体に蝶番などにより接続され、他方が開閉可能であって通常は施錠されているガラス扉を備える遊技機の本体やガラス扉などが不正に開放されないようにする遊技機用施錠装置に関する。
【背景技術】
【０００２】
一般的な弾球遊技機（いわゆる、パチンコ台）の場合、１つのシリンダ錠によって設置枠に対する本体の開錠と、本体に対するガラス扉の開錠との両方ができるようになされており、シリンダ錠に鍵を挿入して、時計回りに回転させた場合、設置枠に対して本体を閉鎖させておくために本体の上下２箇所に設けられた鉤が上下連動して移動され、設置枠の係合されていた箇所から外れて開錠するようになされている。また反時計回りに回転させた場合、本体に対してガラス扉を閉鎖させておくために本体の上下２箇所に設けられた鉤が上下連動して移動され、ガラス扉の係合されていた箇所から外れて開錠するようになされている。
【０００３】
したがって、正規の開錠操作としては、シリンダ錠に鍵を挿入して、時計回りに回転させることにより、本体を設置枠から開放することができ、反時計回りに回転させることにより、ガラス扉を本体から開放することができるようになされている。
【０００４】
ところで、従来、弾球遊技機に対する不正行為は後を絶たず、弾球遊技機に不正行為に対する防止策を施すことは必須である。
【０００５】
弾球遊技機に対する不正行為としては、遊戯球（パチンコ球）が所望の入賞口に入るように、例えば弾球遊技機を叩いたり揺すったり傾けたりすることによって打ち出された遊技球の進路を不正に変位させる行為、弾球遊技機正面のガラス扉を不正に開放して遊技球の進路を決定付ける釘の角度を調整したり、遊技球を直接手で入賞口に入れたりする行為、弾球遊技機を設置枠から不正に開放して不正な電子パーツを取り付ける行為などを挙げることができる。
【０００６】
上述した不正行為のうち、本体からガラス扉を不正に開放したり、設置枠から本体を不正に開放したりする不正な開錠行為は、ガラス扉または本体を閉鎖させておくために上下に２箇所設けられている鉤が連動しているので、２箇所の鉤のうちの一方を動かすと他方も動くことを利用して、本体とガラス扉（または、設置枠と本体）の隙間に薄板などを挿入して鉤の一方を強制的に動かし、結果的に上下の鉤を同時に係合されていた箇所から外させることが多い。
【０００７】
このような不正な開錠行為に対処する方法としては、ガラス扉（または本体）を閉鎖させておくために本体の上下に２箇所設けられている鉤の一方を動かしても他方が動かないように、それぞれの動作を独立させて、上下それぞれの鉤を同時に動かさなければ本体またはガラス扉が開放できないようにする方法（例えば、特許文献１参照）や、シリンダ錠を回転させる以外に、鉤を動かすことができないようにする方法（例えば、特許文献２参照）などがある。
【０００８】
【特許文献１】特開２００３−２３０７３３号公報
【特許文献２】特開２００４−４４３０５号公報
【発明の開示】
【発明が解決しようとする課題】
【０００９】
しかしながら、不正な開錠行為に対処する従来の方法では、本体に対してガラス扉を閉鎖させておくために本体の上下２箇所に設けられた鉤や、設置枠に対して本体を閉鎖させておくために本体の上下２箇所に設けられた鉤などの形状、シリンダ錠の構造などが複雑となってしまうので、設置枠、本体、およびガラス扉の施錠機構の生産性が低下したり、コスト高となってしまったりする。
【００１０】
また、不正な開錠行為に対処する従来の方法では、施錠をより強固なものとするために結果として、施錠機構のサイズが大きくなってしまい、施錠機構の占める面積が広がってしまい、本体に搭載する弾球遊技機として必要な賞球装置、画像装置、制御基盤、電源などの設置面積や配置を制約してしまうことがある。
【００１１】
本発明はこのような状況に鑑みてなされたものであり、設置枠、本体、および扉の施錠機構を比較的簡素な構造で実現し、かつ、本体から扉を不正に開放したり、設置枠から本体を不正に開放したりする不正な開錠行為を抑止できるようにするものである。
【課題を解決するための手段】
【００１２】
本発明の一側面である遊技機用施錠装置は、外辺のうちの一辺が設置枠に接続され前記一辺とは異なる他辺が前記設置枠から開閉可能な本体と、外辺のうちの一辺が前記本体に接続され前記一辺とは異なる他辺が前記本体から開閉可能な前記本体を覆う扉とを備える遊技機に用い、前記設置枠に対して前記本体の他辺側を施錠するとともに、前記本体に対して前記扉の他辺側を施錠する遊技機用施錠装置において、挿入された鍵の回転に対応してカム板を回転させるシリンダ錠と、前記設置枠に設置された第１の係合受部と、前記扉に設置された第２の係合受部と、前記第１の係合受部に係合される第１の鉤、および前記第２の係合受部に係合される第２の鉤が設けられた鉤連結杆を内蔵する施錠部とを備え、前記鉤連結杆は、対向する長辺の一方に前記第１の鉤、他方に前記第２の鉤が設けられ、開錠時においてのみ、前記カム板の回転に連動し前記施錠部内において往復直線摺動される。
【００１３】
前記鉤連結杆、前記第１の鉤、および前記第２の鉤は、一体成型されているようにすることができる。
【００１４】
前記鉤連結杆には、前記カム板の凸部が挿入されるカム孔が設けられており、前記カム孔は、回転される前記カム板の前記凸部に対して遊び無く形成されているようにすることができる。
【００１５】
前記第１の係合受部または前記第２の係合受部のうちの少なくとも一方は、それぞれ対応する前記第１または第２の鉤が係合される可動プレートを内蔵しており、前記可動プレートは、施錠時に当接する前記第１または第２の鉤からの外力によって摺動されるとともに、バネ付勢力によって初期位置の方向に復帰されることによって係合されるようにすることができる。
【００１６】
本発明の一側面においては、対向する長辺の一方に前記第１の鉤、他方に前記第２の鉤が設けられている鉤連結杆が、開錠時においてのみ、シリンダ錠の回転に対応して回転するカム板に連動し、鉤連結杆が施錠部内において往復直線摺動される。
【００１７】
したがって、施錠部を比較的簡素に構成することができる。
【００１８】
この遊技機は、例えば弾球遊技機である。
【発明の効果】
【００１９】
本発明の一側面によれば、設置枠、本体、および扉の施錠機構を比較的簡素な構造で実現し、かつ、本体から扉を不正に開放したり、設置枠から本体を不正に開放したりする不正な開錠行為を抑止することが可能となる。
【発明を実施するための最良の形態】
【００２０】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面である遊技機用施錠装置は、外辺のうちの一辺が設置枠（例えば、図１の外枠１０）に接続され前記一辺とは異なる他辺が前記設置枠から開閉可能な本体（例えば、図１の前扉１１）と、外辺のうちの一辺が前記本体に接続され前記一辺とは異なる他辺が前記本体から開閉可能な前記本体を覆う扉（例えば、図１のガラス扉１２）とを備える遊技機（例えば、図１の弾球遊技機１）に用い、前記設置枠に対して前記本体の他辺側を施錠するとともに、前記本体に対して前記扉の他辺側を施錠する遊技機用施錠装置において、挿入された鍵の回転に対応してカム板（例えば、図５のカム板５１）を回転させるシリンダ錠（例えば、図１のシリンダ錠１３）と、前記設置枠に設置された第１の係合受部（例えば、図３の外枠係合受ユニット２１−１，２１−２）と、前記扉に設置された第２の係合受部（例えば、図３のガラス扉係合受ユニット２３）と、前記第１の係合受部に係合される第１の鉤（例えば、図５の外枠鉤４１−１，４１−２）、および前記第２の係合受部に係合される第２の鉤（例えば、図５のガラス扉鉤４２−１，４２−２）が設けられた鉤連結杆（例えば、図５の鉤連結杆３２）を内蔵する施錠部（例えば、図５の施錠ユニット２２）とを備え、前記鉤連結杆は、対向する長辺の一方に前記第１の鉤、他方に前記第２の鉤が設けられ、開錠時においてのみ、前記カム板の回転に連動し前記施錠部内において往復直線摺動される。
【００２２】
以下、本発明を適用した具体的な実施の形態について、図面を参照しながら詳細に説明する。
【００２３】
図１および図２は、本発明の一実施の形態である弾球遊技機の斜め方向からの外観図を示している。この弾球遊技機１は、設置枠（以下、外枠と称する）１０に対して図中の左側が蝶番などによって固定されており右側が開閉可能であって通常は施錠されている本体（以下、前扉と称する）１１と、前扉１１に対して図中の左側が蝶番などによって固定されており右側が開閉可能であって通常は施錠されているガラス扉１２を備えている。なお、図１は、前扉１１およびガラス扉１２が施錠された状態であり、図２は、前扉１１およびガラス扉１２が開錠された状態を示している。
【００２４】
弾球遊技機１の正面には、外枠１０に対する前扉１１の開錠と、前扉１１に対するガラス扉１２の開錠との両方ができるシリンダ錠１３が設けられている。なお、外枠１０に対する前扉１１の施錠は、外枠１０に対して前扉１１を閉鎖することにより、前扉１１に対するガラス扉１２の施錠は、前扉１１に対してガラス扉１２を閉鎖することにより自動的に行われる。
【００２５】
シリンダ錠１３の正規の開錠操作としては、鍵１４を挿入して時計回りに回転させることにより、前扉１１を外枠１０から開錠し、開放できるようになされている。また、鍵１４を挿入して反時計回りに回転させることにより、ガラス扉１２を前扉１１から開錠し、開放できるようになされている。
【００２６】
次に、外枠１０、前扉１１、およびガラス扉１２の施錠機構について、図３および図４を参照して説明する。図３は当該施錠機構の斜め方向からの外観図、図４は当該施錠機構の側面図を示している。
【００２７】
当該施錠機構は、外枠１０の上下にそれぞれ設置される外枠係合受ユニット２１−１，２１−２、前扉１１に設置される施錠ユニット２２、およびガラス扉に設置されるガラス扉係合受ユニット２３から構成される。
【００２８】
以下、外枠係合受ユニット２１−１，２１−２を個々に区別する必要がない場合、単に外枠係合受ユニット２１と称する。他の構成要素についても同様とする。
【００２９】
なお、外枠１０に対する外枠係合受ユニット２１の取り付け、前扉１１に対する施錠ユニット２２の取り付け、およびガラス扉に対するガラス扉係合受ユニット２３の取り付けには、リベット、釘、接着剤などが用いられる。
【００３０】
施錠ユニット２２の外枠側には、外枠係合受ユニット２１−１，２１−２にそれぞれ係合される外枠鉤４１−１，４１−２が設けられており、反対のガラス扉側には、ガラス扉係合受ユニット２３に係合されるガラス扉鉤４２−１，４２−２が設けられている。
【００３１】
図５は、施錠ユニット２２の分解図を示している。
【００３２】
施錠ユニット２２は、前扉１１に固定される取付フレーム３１、取付フレーム３１の内部に組み合わされ、シリンダ錠１３に差し込まれた鍵１４の回転に対応して回転するカム板５１によって取付フレーム３１内で直線方向に摺動される鉤連結杆３２、開錠時に取付フレーム３１内で摺動される鉤連結杆３２を元の位置（施錠時の位置）に戻すための付勢バネ３３−１，３３−２、および、付勢バネ３３−１，３３−２の復元力を鉤連結杆３２に伝達する可動プレート３４−１，３４−２から構成される。
【００３３】
鉤連結杆３２には、長辺の一方（外枠側）に外枠鉤４１−１，４１−２が設けられており、他方（ガラス枠側）にガラス扉鉤４２−１，４２−２が設けられている。すなわち、鉤連結杆３２と外枠鉤４１とガラス扉鉤４２が一体成型されている点が特徴である。なお、外枠鉤４１の数、およびガラス扉鉤４２の数は、２つに限定されるものではなく、１つあるいは２つ以上であってもよい。そのような場合、当然ながら外枠係合受ユニット２２も同じ数だけ必要となる。
【００３４】
鉤連結杆３２には、可動プレート３４−１，３４−２と接する位置に付勢力伝達凸部４３が設けられている。
【００３５】
さらに、鉤連結杆３２には、カム板５１が係合されるカム孔７１，７２（図７）が設けられている。このカム板５１が回転することにより、鉤連結杆３２が上下方向に摺動される。
【００３６】
ここで、上下方向とは、鉤連結杆３２の長辺の方向を意味する。以降に用いる上方向、下方向は、それぞれ弾球遊技機１の上または下と一致する方向を意味するものとする。
【００３７】
カム孔７１，７２の大きさは、カム板５１の凸部の動きが抑制されない程度に遊び（余裕）が無い狭さとする。カム孔７１，７２の大きさに遊びを無くすることにより、例えば、外枠１１と前扉１２の隙間や、前扉１２とガラス扉１３の隙間に薄板などを挿入して、鉤連結杆３２、あるいは外枠鉤４１やガラス扉鉤４２を強制的に動かすような不正な開錠を抑止することができる。
【００３８】
付勢バネ３３−１は、一端が取付フレーム３１に接続され、他端が可動プレート３４−１に接続されている。付勢バネ３３−２は、一端が取付フレーム３１に接続され、他端が可動プレート３４−２に接続されている。
【００３９】
可動プレート３４−１は、取付フレーム３１に段付ビス３５−１によって取り付けられ、所定の幅だけ下方向に移動できるようになされている。そして、鉤連結杆３２が下方向に摺動されたとき、可動プレート３４−１は、鉤連結杆３２の付勢力伝達凸部４３に押されて下方向に移動されるが、これに伴って付勢バネ３３−１が伸ばされたことによって生じる復元力により、鉤連結杆３２を元の位置に戻すよう上方向に移動される。
【００４０】
可動プレート３４−２は、取付フレーム３１に段付ビス３５−２によって取り付けられ、所定の幅だけ上方向に移動できるようになされている。そして、鉤連結杆３２が上方向に摺動されたとき、可動プレート３４−２は、鉤連結杆３２の付勢力伝達凸部４３に押されて上方向に移動されるが、これに伴って付勢バネ３３−２が伸ばされたことによって生じる復元力により、鉤連結杆３２を元の位置に戻すよう下方向に移動される。
【００４１】
次に、図６は、外枠１０に設置される外枠係合受ユニット２１の分解図を示している。外枠係合受ユニット２１は、外枠１０に固定される取付フレーム６１、取付フレーム６１に段付ビス６４によって取付られ、所定の幅だけ下方向に移動できる可動プレート６２、一端が取付フレーム３１に固定されたピン６５に接続され、他端が可動プレート６２に接続されており、移動された可動プレート６２を元の位置に戻すバネ６３から構成される。
【００４２】
取付フレーム６１は、可動プレート６２を覆う形状であり、取付フレーム６１および可動フレーム６２には、外枠鉤４１が挿入される孔が設けられている。
【００４３】
外枠鉤４１と取付フレーム６１および可動プレート６２の孔との位置関係については、外枠１０に対して前扉１１が閉鎖される施錠時において、上下に移動することなく真直ぐに進入してくる外枠鉤４１に押されて可動プレート６２が下方向に移動され、外枠鉤４１が完全に挿入され、そして、バネ６３の復元力によって可動プレート６２が元の位置に戻されることにより外枠鉤４１が完全に係合されるようになされている。また、外枠１０に対して前扉１１が開放される開錠時において、上方向に移動された状態で後退する外枠鉤４１の係合を解除するようになされている。なお、前扉１１に対してガラス扉１２が開放される開錠時においては、外枠鉤４１も下方向に移動されるが、外枠鉤４１の係合は解除されない。
【００４４】
取付フレーム６１が可動プレート６２を覆う形状であることにより、なんらかの方法により可動プレート６２を動かして不正に開錠するような行為を抑止することができる。
【００４５】
ガラス扉１２に設置されるガラス扉係合受ユニット２３には、外枠係合受ユニット２１を構成する可動プレート６２およびバネ６３と同様のものが設けられている。なお、ガラス扉係合受ユニット２３の代わりに、ガラス扉１２に外枠係合受ユニット２１を設置するようにしてもよい。
【００４６】
ガラス扉係合受ユニット２３は、前扉１１に対してガラス扉１２が閉鎖される施錠時において、上下に移動することなく真直ぐに進入してくるガラス扉鉤４２を自動的に係合されるようになされている。また、前扉１１に対してガラス扉１２が開放される開錠時において、下方向に移動された状態で後退するガラス扉鉤４２の係合を解除するようになされている。なお、外枠１０に対して前扉１１が開放される開錠時においては、ガラス扉鉤４２も上方向に移動されるが、ガラス扉鉤４２の係合は解除されない。
【００４７】
次に、シリンダ錠１３に差し込まれた鍵１４の回転に対応して回転するカム板５１の動きと、鉤連結杆３２の動きとの関係について、図７乃至図１０を参照して説明する。
【００４８】
図７は、シリンダ錠１３とその周辺の背面断面図を示している。図８は、前扉１１およびガラス扉１２が施錠されている場合の外枠係合受ユニット２１、ガラス扉係合受ユニット２３、および鉤連結杆３２の状態を示す側面断面図である。図９は、ガラス扉１２を施錠したまま前扉１１を開錠した場合の外枠係合受ユニット２１、ガラス扉係合受ユニット２３、および鉤連結杆３２の状態を示す側面断面図である。図１０は、前扉１１を施錠したままガラス扉１２と開錠した場合の外枠係合受ユニット２１、ガラス扉係合受ユニット２３、および鉤連結杆３２の状態を示す側面断面図である。
【００４９】
図７Ａに示すように、前扉１１およびガラス扉１２が施錠されている場合、シリンダ錠１３に挿入された鍵１４の回転に対応して回転されるカム板５１は、その２箇所の凸部が鉤連結杆３２に設けられたカム孔７１，７２に挿入された状態である。したがって、鉤連結杆３２は初期位置のままであって、図８に示すように、鉤連結杆３２の外枠鉤４１およびガラス扉鉤４２は上下に移動されず、それぞれ外枠係合受ユニット２１、またはガラス扉係合受ユニット２３との係合が維持される。
【００５０】
図７Ｂに示すように、シリンダ錠１３に鍵１４が挿入されて、シリンダ錠１３の正面から見て時計回りに回転され、前扉１１が開錠される場合、鍵１４の回転に対応してカム板５１が同図Ｂにおいて反時計回りに回転される。この結果、カム板５１の一方の凸部がカム孔７１から抜け、カム板５１の他方の凸部がカム孔７２に挿入されたまま鉤連結杆３２を上方向に押し上げるので、図９に示すように、鉤連結杆３２の外枠鉤４１も上方向に移動されて外枠係合受ユニット２１との係合が解除される。なお、このとき、鉤連結杆３２のガラス扉鉤４２も上方向に移動されるが、ガラス扉係合受ユニット２３との係合は解除されない。したがって、この状態で前扉１１に対し、外枠１０から引き離す方向に外力を加えれば、外枠１０から前扉１１を開放することができる。
【００５１】
図７Ｃに示すように、シリンダ錠１３に鍵１４が挿入されて、シリンダ錠１３の正面から見て反時計回りに回転され、ガラス扉１２が開錠される場合、鍵１４の回転に対応してカム板５１が同図Ｃにおいて時計回りに回転される。この結果、カム板５１の一方の凸部がカム孔７２から抜け、カム板５１の他方の凸部がカム孔７１に挿入されたまま鉤連結杆３２を下方向に押し下げるので、図１０に示すように、鉤連結杆３２のガラス扉鉤４２も下方向に移動されてガラス扉係合受ユニット２３との係合が解除される。なお、このとき、鉤連結杆３２の外枠鉤４１も下方向に移動されるが、外枠係合受ユニット２１との係合は解除されない。したがって、この状態でガラス扉１２に対し、前扉１１から引き離す方向に外力を加えれば、前扉１１からガラス扉１２を開放することができる。
【００５２】
以上説明したように、本発明を適用した弾球遊技機１は、鉤連結杆３２、外枠鉤４１、およびガラス扉鉤４２が一体成型された比較的簡易な構成でありながら、外枠１０から前扉１１を不正に開錠したり、前扉１１からガラス扉１２を不正に開錠したりする不正行為を抑止することができる。
【００５３】
なお、本発明は、弾球遊技機の他、対向する２辺のうち、一方が設置枠に蝶番などにより接続され、他方が開閉可能であって通常は施錠されている本体と、対向する２辺のうち、一方が本体に蝶番などにより接続され、他方が開閉可能であって通常は施錠されているガラス扉を備える遊技機などに適用することができる。
【００５４】
本発明の実施の形態は、上述した実施の形態に限定されるものではなく、本発明の要旨を逸脱しない範囲において種々の変更が可能である。
【図面の簡単な説明】
【００５５】
【図１】本発明の適用した弾球遊技機の外観図である。
【図２】本発明の適用した弾球遊技機の外観図である。
【図３】外枠、前扉、およびガラス扉の施錠機構の外観図である。
【図４】外枠、前扉、およびガラス扉の施錠機構の断面図である。
【図５】前扉に取り付けられる施錠ユニットの分解図である。
【図６】外枠に取り付けられる外枠係合受ユニットの分解図である。
【図７】カム板と鉤連結杆の連動関係を示す断面図である。
【図８】施錠時の外枠係合受ユニット、ガラス扉係合受ユニット、および鉤連結杆の状態を示す側面断面図である。
【図９】前扉開錠時の外枠係合受ユニット、ガラス扉係合受ユニット、および鉤連結杆の状態を示す側面断面図である。
【図１０】ガラス扉開錠時の外枠係合受ユニット、ガラス扉係合受ユニット、および鉤連結杆の状態を示す側面断面図である。
【符号の説明】
【００５６】
１  弾球遊技機
１０  外枠
１１  前扉
１２  ガラス扉
１３  シリンダ錠
１４  鍵
２１  外枠係合受ユニット
２２  施錠ユニット
２３  ガラス扉係合受ユニット
３１  取付フレーム
３２  鉤連結杆
３３  付勢バネ
３４  可動プレート
４１  外枠鉤
４２  ガラス扉鉤
４３  付勢力伝達凸部
５１  カム板
６１  取付フレーム
６２  可動プレート
６３  バネ
７１  カム孔
７２  カム孔
【図１】
2008061744.tif 000003
【図２】
2008061744.tif 000004
【図３】
2008061744.tif 000005
【図４】
2008061744.tif 000006
【図５】
2008061744.tif 000007
【図６】
2008061744.tif 000008
【図７】
2008061744.tif 000009
【図８】
2008061744.tif 000010
【図９】
2008061744.tif 000011
【図１０】
2008061744.tif 000012